(57)【要約】【課題】キーを用いずに施錠できる仮施錠機能とキーによる本施錠機能とを組み合せたものにあって、安全性を向上させた使い勝手のよい錠前装置を提供する。【解決手段】錠前装置１において、庫内ノブ３２と庫外ノブ２０或はロックレバー１０との間の第１遊び角は、ロックレバー１０が閉位置に維持された状態で、庫内ノブ３２の回動操作によりガイド壁３４ｂがガイドピン６５を押圧することでガイドプレート５１がストッパプレート５９と共に第１位置側へ揺動することに伴い第１切欠溝６２ａがストッパピン３０から外れるように設定されている。【選択図】図２
2010209577.tif 000002
【特許請求の範囲】
【請求項１】
キーを用いずに施錠できる仮施錠機能とキーによる本施錠機能とを組合わせた錠前装置であって、
前面側に、庫外ノブ取付部及びシリンダ錠取付部を有する錠ケースと、
前記庫外ノブ取付部に、前後方向を指向する回動中心軸線の周りに回動操作可能に設けられた庫外ノブと、
被係止部を有し、前記庫外ノブの後面側に基端部を位置させて、前記錠ケースが取付けられた部材の相手部材に対して係止状態となる閉位置と退避状態となる開位置との間で、前記庫外ノブと一体に回動するように設けられたロックレバーと、
前記錠ケースの後面側に回動操作可能に配置され、前記庫外ノブ或は前記ロックレバーに対して回動方向の第１遊び角を有して結合された庫内ノブと、
前記シリンダ錠取付部に取付けられ、キー挿入穴に挿入されるキーにより本施錠位置と解錠位置との間で回動操作されるキーロータを有するシリンダ錠と、
前記シリンダ錠に配置され、前記キーロータを本施錠位置と解錠位置との間の中立位置に付勢する付勢部材と、
前記ロックレバーの閉位置で前記被係止部に係合可能な第１係止部を有し、前記キーロータの後部に当該キーロータの回動方向の第２遊び角を有して結合され、前記キーロータの本施錠位置への回動に連動することに伴い前記第１係止部が前記被係止部を係止して前記ロックレバーの閉位置から開位置への回動を阻止する第１位置と、前記キーロータの解錠位置への回動に連動することに伴い前記第１係止部が前記被係止部から離間する第２位置との間で揺動するストッパプレートと、
先端部に前記庫内ノブの縁部のガイド壁に係合可能なガイド部を有し、基端部が前記錠ケースに揺動可能に支持され、前記ストッパプレートとの間に掛け渡された連結ピンにより、前記ストッパプレートと共に揺動するガイドプレートとを備え、
前記第２遊び角を、前記キーロータが中立位置に維持された状態で、前記ストッパプレートの第１位置と第２位置との間の回動を許容するように設定し、
前記庫外ノブ或は前記庫内ノブの回動操作により前記ロックレバーを閉位置に移動させた仮施錠状態において、前記キーロータの本施錠位置への回動操作により、前記ストッパプレートを前記ガイドプレートごと第２位置から第１位置へ揺動させることに伴い、前記ストッパプレートの前記第１係止部が前記ロックレバーの前記被係止部を係止し且つ前記ガイドプレートの前記ガイド部が前記庫内ノブの前記ガイド壁に当接又は近接した本施錠状態となるように構成すると共に、
前記第１遊び角を、前記ロックレバーが閉位置に維持された状態で、前記庫内ノブの回動操作により前記ガイド壁が前記ガイド部を押圧することで前記ガイドプレートが前記ストッパプレートと共に第２位置側へ揺動することに伴い前記第１係止部が前記被係止部から外れるように設定し、
前記本施錠状態において、前記庫内ノブの回動操作により、前記ガイド壁が前記ガイド部を押圧して前記第１係止部を前記被係止部から外すと共に、前記ロックレバーを閉位置から開位置に回動させることを可能とする構成としたことを特徴とする錠前装置。
【請求項２】
前記錠ケースの後面側に移動操作可能に配置され、且つ前記連結ピンに結合されて前記前記ストッパプレートを前記ガイドプレートごと揺動させる庫内ロックノブを備え、
前記仮施錠状態において、前記キーロータの本施錠位置への回動操作或は前記庫内ロックノブの前記連結ピンを介した移動操作により、前記ストッパプレートを前記ガイドプレートごと第２位置から第１位置へ揺動させることで前記本施錠状態となるように構成したことを特徴とする請求項１記載の錠前装置。
【請求項３】
前記ストッパプレートは、第２位置側において開位置に在る前記ロックレバーの前記被係止部により係止される第２係止部を有し、これら被係止部と第２係止部との係合により、前記キーロータの本施錠位置側への回動操作を阻止するように構成されていることを特徴とする請求項１又は２記載の錠前装置。
【請求項４】
前記ストッパプレートの第１位置で前記第１係止部が前記被係止部を係止した状態において、前記回動中心軸線の方向から見て、前記キーロータの回動中心と前記被係止部の中心とを結ぶ一方の線分と、前記被係止部の中心と前記庫内ノブの回動中心とを結ぶ他方の線分とが鈍角をなすように設定することにより、前記ロックレバーの閉位置から開位置への回動を確実に阻止し、
前記ストッパプレートの第２位置で前記第２係止部が前記被係止部を係止した状態において、前記一方の線分と前記他方の線分とが鈍角をなすように設定することにより、前記キーロータの本施錠位置側への回動操作を確実に阻止するように構成されていることを特徴とする請求項１乃至３の何れかに記載の錠前装置。
【請求項５】
前記錠ケースは、前記ロックレバー、前記シリンダ錠、前記付勢部材、ストッパプレート、ガイドプレート、庫外ノブ、庫内ノブ及び前記庫内ロックノブを収容し、
前記錠ケースの側壁部に、前記ロックレバーの先端部を突出させる切欠部を形成し、
前記庫外ノブに、前記錠ケースの前面から前方へ突出する把持部を設けると共に、
前記庫内ノブ及び前記庫内ロックノブに、前記錠ケースの後面から後方へ突出する把持部を夫々設けたことを特徴とする請求項２乃至４の何れかに記載の錠前装置。
【請求項６】
前記庫内ロックノブに、その移動方向に延びるように設けられた鍔部と、
前記鍔部に設けられ、互いに異なる２つの表示を有する庫内本施錠用表示部と、
前記錠ケースの後面に、前記庫内ロックノブの前記鍔部に臨むように設けられた窓部とを備え、
前記２つの表示を、前記庫内ロックノブの移動方向に連なるように配置し、前記仮施錠状態及び本施錠状態にて、前記２つの表示が前記窓部から択一的に出現するように構成したことを特徴とする請求項２乃至５の何れかに記載の錠前装置。
【請求項７】
前記庫外ノブの回動中心軸線に沿って、前記庫外ノブと前記庫内ノブとを貫通する導光部材を備えたことを特徴とする請求項１乃至６の何れかに記載の錠前装置。
【請求項８】
前記庫外ノブに、前記錠ケースの前面側に位置して設けられた鍔部と、
前記庫外ノブの前記鍔部に設けられた窓部と、
前記錠ケースに設けられ、互いに異なる２つの表示を有する庫外仮施錠用表示部とを備え、
前記２つの表示を、前記庫外ノブの回動方向に連なるように配置し、前記ロックレバーの開位置及び閉位置にて、前記２つの表示が前記窓部から択一的に出現するように構成したことを特徴とする請求項１乃至７の何れかに記載の錠前装置。
【請求項９】
前記錠ケースの前面に、前記キーロータの外周側に位置して設けられた窓部と、
前記錠ケースの内部に、前記キーロータの外周側に位置して前記ストッパプレート或は前記ガイドプレートと連動するように設けられ、互いに異なる２つの表示を有する庫外本施錠用表示部とを備え、
前記２つの表示を、前記ストッパプレート或は前記ガイドプレートの揺動方向に連なるように配置し、前記仮施錠状態及び本施錠状態にて、前記２つの表示が前記窓部から択一的に出現するように構成したことを特徴とする請求項１乃至８の何れかに記載の錠前装置。
【発明の詳細な説明】
【技術分野】
【０００１】
本発明は、キーを用いずに施錠できる仮施錠機能とキーによる本施錠機能とを組み合せた錠前装置に関する。
【背景技術】
【０００２】
従来より、車庫や物置の引戸などに設けられる錠前装置において、キーによる本施錠と、キーを用いずに簡易的に施錠する所謂仮施錠とを行うことを可能としたものがある（例えば特許文献１参照）。この錠前装置は、引戸に取付け固定される本体ケースと、当該本体ケースに配設された本施錠用のシリンダ錠と、本体ケースに上下方向へスライド可能に設けられた仮施錠用の摘み操作部材とを備えている。
仮施錠を行う場合、使用者は摘み操作部材を摘んで上側（解除位置側）から下側（仮施錠位置側）へスライドさせる。これにより、施錠片たるロックレバーが、戸枠の受け金具に係合して引戸の閉止状態を拘束する仮施錠の状態となる。
これに対し、本施錠を行う場合、使用者はキー挿入穴にキーを挿入してシリンダ錠の内筒（キーロータ）を解錠位置から施錠位置へ回動させる。これにより、キーロータに駆動部材を介して連動するロック片が、摘み操作部材の構成部品（第３回転係合片）に係合して摘み操作部材の解除位置側へのスライドを阻止する本施錠の状態となる。
【先行技術文献】
【特許文献】
【０００３】
【特許文献１】特開２００６−２３３７０８号公報
【発明の概要】
【発明が解決しようとする課題】
【０００４】
ところが、上記の物置など、人の出入り可能な内部空間を有する構造体にあっては、その空間に人がいる状態で誤って施錠してしまうと、内部空間側（庫内側）からロックレバーを動かすことができないため、物置内に人を閉じ込めてしまう問題がある。
この点、特許文献１に記載の錠前装置は、キーを用いずに摘み操作部材により仮施錠の解除操作を行うことができるが、この摘み操作部材及びキーロータは何れも外側（庫外側）から操作されるもので、依然として人を閉じ込めてしまう問題を内在しており、使い勝手を含め改善の余地がある。
【０００５】
本発明は、上記事情に鑑みてなされたものであり、その目的は、キーを用いずに施錠できる仮施錠機能とキーによる本施錠機能とを組み合せたものにあって、安全性を向上させた使い勝手のよい錠前装置を提供することにある。
【課題を解決するための手段】
【０００６】
上記の目的を達成するために本発明は、キーを用いずに施錠できる仮施錠機能とキーによる本施錠機能とを組合わせた錠前装置であって、
前面側に、庫外ノブ取付部及びシリンダ錠取付部を有する錠ケースと、前記庫外ノブ取付部に、前後方向を指向する回動中心軸線の周りに回動操作可能に設けられた庫外ノブと、被係止部を有し、前記庫外ノブの後面側に基端部を位置させて、前記錠ケースが取付けられた部材の相手部材に対して係止状態となる閉位置と退避状態となる開位置との間で、前記庫外ノブと一体に回動するように設けられたロックレバーと、前記錠ケースの後面側に回動操作可能に配置され、前記庫外ノブ或は前記ロックレバーに対して回動方向の第１遊び角を有して結合された庫内ノブと、前記シリンダ錠取付部に取付けられ、キー挿入穴に挿入されるキーにより本施錠位置と解錠位置との間で回動操作されるキーロータを有するシリンダ錠と、前記シリンダ錠に配置され、前記キーロータを本施錠位置と解錠位置との間の中立位置に付勢する付勢部材と、前記ロックレバーの閉位置で前記被係止部に係合可能な第１係止部を有し、前記キーロータの後部に当該キーロータの回動方向の第２遊び角を有して結合され、前記キーロータの本施錠位置への回動に連動することに伴い前記第１係止部が前記被係止部を係止して前記ロックレバーの閉位置から開位置への回動を阻止する第１位置と、前記キーロータの解錠位置への回動に連動することに伴い前記第１係止部が前記被係止部から離間する第２位置との間で揺動するストッパプレートと、先端部に前記庫内ノブの縁部のガイド壁に係合可能なガイド部を有し、基端部が前記錠ケースに揺動可能に支持され、前記ストッパプレートとの間に掛け渡された連結ピンにより、前記ストッパプレートと共に揺動するガイドプレートとを備え、
前記第２遊び角を、前記キーロータが中立位置に維持された状態で、前記ストッパプレートの第１位置と第２位置との間の回動を許容するように設定し、前記庫外ノブ或は前記庫内ノブの回動操作により前記ロックレバーを閉位置に移動させた仮施錠状態において、前記キーロータの本施錠位置への回動操作により、前記ストッパプレートを前記ガイドプレートごと第２位置から第１位置へ揺動させることに伴い、前記ストッパプレートの前記第１係止部が前記ロックレバーの前記被係止部を係止し且つ前記ガイドプレートの前記ガイド部が前記庫内ノブの前記ガイド壁に当接又は近接した本施錠状態となるように構成すると共に、
前記第１遊び角を、前記ロックレバーが閉位置に維持された状態で、前記庫内ノブの回動操作により前記ガイド壁が前記ガイド部を押圧することで前記ガイドプレートが前記ストッパプレートと共に第２位置側へ揺動することに伴い前記第１係止部が前記被係止部から外れるように設定し、前記本施錠状態において、前記庫内ノブの回動操作により、前記ガイド壁が前記ガイド部を押圧して前記第１係止部を前記被係止部から外すと共に、前記ロックレバーを閉位置から開位置に回動させることを可能とする構成としたことを特徴とする。
【発明の効果】
【０００７】
本発明によれば、庫内ノブと庫外ノブ或はロックレバーとの間に第１遊び角を設けたので、本施錠状態において、外側からの解錠操作をストッパプレートにより阻止しながらも、庫内側から庫内ノブを第１遊び角の分、回動操作するだけでガイドプレートをストッパプレートごと第２位置側へ（本施錠を解除するように）揺動させることができる。また、この庫内ノブの回動操作の際、キーロータとストッパプレートとの間の第２遊び角によってキーロータの中立位置が維持されるため、キーを用いずに本施錠状態を解除することができると共に、庫内ノブの回動に伴いロックレバーを閉位置から開位置に回動させることができる。このように、防犯面での安全性を確保しつつ、庫内ノブによって引戸の閉止状態を庫内側から容易に解除することができ、使い勝手のよいものとすることができる。従って、錠前装置を、例えば人が出入り可能な内部空間を有する物置等の引戸に適用した場合、前述した人を閉じ込めてしまう問題を解消することができる。
【図面の簡単な説明】
【０００８】
【図１】本発明の一実施形態を示すもので、（ａ）、（ｂ）及び（ｃ）は解錠状態における錠前装置の正面図、背面図及び側面図
【図２】錠前装置の構成部品を分解した状態の外観斜視図
【図３】錠前装置における構成部品の一部を分解して示す正面側からの斜視図
【図４】錠前装置における構成部品の一部を分解して示す背面側からの斜視図
【図５】カバー、内側カバー及び庫内ノブの分解斜視図
【図６】図１（ａ）のＡ−Ａ線に沿う縦断側面図
【図７】図１（ａ）のＢ−Ｂ線に沿う横断面図
【図８】本体ケースに組み付けた状態で示すシリンダ錠の背面側からの拡大斜視図
【図９】（ａ）〜（ｄ）は、仮施錠状態から本施錠状態へ移行する途中の状態を説明するための要部の背面図
【図１０】解錠状態と仮施錠状態と本施錠状態との間の相互の状態遷移図
【図１１】（ａ）、（ｂ）は、本施錠状態における図１（ａ）、（ｂ）相当図
【図１２】解錠状態における内部構造を一部省略して示す破断背面図
【図１３】ストッパプレートとロックレバーの相互関係を説明するための破断背面図
【図１４】仮施錠状態における図１２相当図
【図１５】本施錠状態における図１２相当図
【発明を実施するための形態】
【０００９】
以下、本発明の回転型錠前装置（以下、錠前装置１と称す）について図１〜図１５を参照しながら説明する。尚、錠前装置１は、車庫（ガレージ）や物置の引戸等に適用されるものであり、当該車庫等の外側において使用者が位置する方向を前方として説明する。
【００１０】
図１、図２に示すように、錠前装置１の外殻をなす錠ケース２は、前側（図２中、右側）が開放された矩形箱型容器状をなすカバー４と、その開放面を覆う矩形板状をなす本体ケース３とで構成されている。本体ケース３の上半部及び下半部には、後述する庫外ノブ取付部６及びシリンダ錠取付部７が形成されている。また、図４に示すように、本体ケース３の後面側には、外周縁部に外側リブ８が設けられると共に、その左上隅部を除く３箇所の隅部にボス部９ａ〜９ｃが設けられている。
一方、図５に示すように、カバー４の右側及び上側の側壁部４ａには、後述するロックレバー１０を突出させるための「Ｌ」字状の切欠部１１が形成されると共に、後壁部３ｂの隅部には、ボス部９ａ〜９ｃに対応する螺子用孔部１２ａ〜１２ｃが形成されている。
【００１１】
この錠前装置１は例えば、車庫等の引戸１３（図６，図７参照）の取付孔部１３ａに対し、本体ケース３の外側リブ８を前側から挿入し、カバー４の側壁部４ａを後側（車庫等の内部空間側）から嵌合させてある。この状態で、カバー４の螺子用孔部１２ａ〜１２ｃに夫々挿通された螺子１４（図１（ｂ）参照）が、本体ケース３のボス部９ａ〜９ｃに螺挿されることにより、錠前装置１が引戸１３に取付け固定されている。
【００１２】
図３、図４に示すように、前記庫外ノブ取付部６は、本体ケース３の上半部において円形に切欠いた庫外ノブ用開口部１５と、この開口部１５の前側周縁部に設けられた環状の庫外仮施錠用表示部１６と、前記開口部１５の後側周縁部に形成された後方へ突出する環状リブ１７とを備えている。庫外仮施錠用表示部１６は、例えば、互いに異なる２つの色（赤色Ｒと青色Ｂ）の表示部分を有し、赤色Ｒと青色Ｂの部分を交互に９０度間隔で周方向に連ねて構成されている。この表示部１６の直ぐ外周側には、後方へ窪む環状溝１６ａが形成されている。
【００１３】
環状リブ１７の後端部には、図４に示すような一対の凹部１７ａが形成されると共に、これら凹部１７ａに軸受カラー１８が装着されている。この軸受カラー１８は、円筒部１８ａと、この円筒部１８ａの前端部に形成された一対の嵌合凸部１８ｂとを一体に有し、環状リブ１７の凹部１７ａに嵌合凸部１８ｂが嵌合するように設けられている（図７参照）。軸受カラー１８の円筒部１８ａには、径方向外側へ張出す正面視にて「へ」字状の節度用段部１８ｃが、上下両側及び左右両側に位置して９０度間隔で形成されている。これら本体ケース３の環状リブ１７及び軸受カラー１８により、庫外ノブ２０が、前後方向を指向する回動中心軸線Ｌ０（図２参照）の周りに回動可能に設けられている。
【００１４】
図３、図４に示すように、庫外ノブ２０は、環状リブ１７及び軸受カラー１８に収容される連結部２１と、この連結部２１の前端部に設けられた環状の鍔部２２と、この鍔部２２の前面側に設けられた把持部２３とを一体に備えると共に、これら連結部２１、鍔部２２及び把持部２３を回動中心軸線Ｌ０に沿って軸方向に貫通する貫通孔２０ａを有して構成されている。
【００１５】
連結部２１は、回動中心軸線Ｌ０の方向から見て放射状（「十」字状）をなし、その外周が環状リブ１７及び軸受カラー１８の内周面に摺接するようになっている。連結部２１の後端部には、一対の螺子穴２１ａと後方へ突出する一対の結合突部２１ｂが設けられており、当該螺子穴２１ａと結合突部２１ｂは、回動中心軸線Ｌ０を中心として９０度ごとに交互に配置される対称位置に配置されている。連結部２１の内部には、径方向に延びる一対の節度付与手段２４が設けられている。これら節度付与手段２４は、図６中、上下に貫通する収容穴２４ａと、この収容穴２４ａに収容された圧縮コイルばね２４ｂ及びボール２４ｃとからなり、軸受カラー１８の節度用段部１８ｃにボール２４ｃが係合することによって、節度感を付与すると共に、庫外ノブ２０ひいてはロックレバー１０を所定の位置に保持するように構成されている。
【００１６】
鍔部２２は、庫外仮施錠用表示部１６を前側から覆うように配置されており、その表示部１６に対応する部位に、略矩形状をなす２つの窓部（以下、庫外仮施錠表示用窓部２２ａと称す）が互いに対向する位置に形成されている。鍔部２２の外周部２２ｂは、環状溝１６ａに嵌り込むように後方へ突出した形状をなしている。また、把持部２３は、使用者による庫外からの回動操作を容易とすべく、鍔部２２から前方へ突出するように形成されている。この庫外ノブ２０は、把持部２３にて回動操作され、上下両側の節度用段部１８ｃにボール２４ｃが夫々嵌合することにより庫外仮施錠表示用窓部２２ａから青色Ｂが出現した位置（後述するロックレバー１０を開位置に移動させた位置、図１（ａ）、図６参照）で保持され、左右両側の節度用段部１８ｃにボール２４ｃが夫々嵌合することにより庫外仮施錠表示用窓部２２ａから赤色Ｒが出現する位置（ロックレバー１０を閉位置に移動させた位置、図１１（ａ）参照）で保持される。
【００１７】
庫外ノブ２０における連結部２１の後端面には、ロックレバー１０が設けられている。ロックレバー１０は、カバー４の切欠部１１から突出するように延設された長尺板状をなし、その先端側の鎌状のフック部１０ａと、基端側の円板状の基端部１０ｂとを一体に備えている。
【００１８】
図３に示すように、ロックレバー１０の基端部１０ｂには、その中央部に位置して貫通孔１０ｃが形成されると共に、貫通孔１０ｃの周りに複数の小孔２７ａ，２７ｂ，２８ａ，２８ｂが形成されている。これら小孔２７ａ〜２８ｂのうち、小孔２７ａ，２７ｂには庫外ノブ２０の結合突部２１ｂが夫々挿通されている。そして、小孔２８ａ，２８ｂに挿通された一対の皿ビス２９（図２、図１２参照）が、庫外ノブ２０の螺子穴２１ａに夫々螺挿されることにより、ロックレバー１０の基端部１０ｂが庫外ノブ２０に対して固定されている。これにより、ロックレバー１０は、引戸１３の相手側の部材（例えば車庫等の側壁）に対して係止状態となる閉位置（図１中、二点鎖線で示す）と退避状態となる開位置（同図中、実線で示す）との間で、回動中心軸線Ｌ０の周りに庫外ノブ２０と一体に回動する。尚、図４に示すように、本体ケース３裏面の上部には、前記閉位置と開位置でロックレバー１０を係止する係止リブ３ａ，３ｂが夫々設けられており、これら係止リブ３ａ，３ｂによって、ロックレバー１０及び庫外ノブ２０の回動範囲が例えば略９０度に規制されている。
【００１９】
また、ロックレバー１０における基端部１０ｂの外周部には、フック部１０ａ寄りの部位に一対の節度用孔部２９ａ，２９ｂが形成されると共に、その周方向へ略１８０度離間した部位に径方向外側へ張出す張出部１０ｄが形成されている。この張出部１０ｄには、ストッパピン３０（被係止部）が後方へ突出するように設けられている。
【００２０】
図５に示すように、カバー４における後壁部４ｂの上部には、円形の庫内ノブ用開口部３１が形成されており、この開口部３１から後側に露出する庫内ノブ３２が回動操作可能に配置されている。庫内ノブ３２は、開口部３１に臨む環状の鍔部３３と、この鍔部３３の前面側に当該鍔部３３に比し若干、径大に形成された径大部３４と、鍔部３３の後面側に設けられた把持部３５とを一体に備えると共に、これら鍔部３３、径大部３４及び把持部３５を軸方向に貫通する貫通孔３２ａを有して構成されている。
【００２１】
径大部３４の前半部には、正面視にて、これを略半月状に切欠いた逃し部３４ａが形成されており、径大部３４の後半部には、その縁部を図５中、逆「Ｌ」字状に切欠くことによりガイド壁３４ｂが形成されている。径大部３４の前面には、図５中、貫通孔３２ａの直ぐ上側と下側に位置して周方向に長い一対の長孔３４ｃが形成されると共に、外周部に位置して節度付与手段３６が設けられている。節度付与手段３６は、前面側が開放された収容穴３６ａと、この収容穴３６ａに収容された圧縮コイルばね３６ｂ及びボール３６ｃとからなり、ロックレバー１０の節度用孔部２９ａ，２９ｂにボール３６ｃが嵌合することによって、節度感を付与すると共に、庫内ノブ３２を所定の位置に保持するように構成されている。
【００２２】
また、径大部３４の長孔３４ｃに、庫外ノブ２０の結合突部２１ｂが夫々挿通されることにより、庫内ノブ３２は、庫外ノブ２０に対して回動方向のギャップを有して結合されている。図１４（ａ）及び（ｂ）に対比して示すように、このギャップとしての第１遊び角θ１は例えば１５度に設定されており、庫内ノブ３２は、回動中心軸線Ｌ０の周りに例えば１０５度の範囲で回動する。庫内ノブ３２の把持部３５は、使用者による庫内からの回動操作を容易とすべく、鍔部３３から後方へ突出するように形成されている。図１（ｂ）示すように、把持部３５及びカバー４の後壁部４ｂには、ロックレバー１０の開位置と閉位置に対応する庫内ノブ３２の位置を指し示す、表示部としての指標部３５ａ，４ｃが夫々設けられている。指標部３５ａ、４ｃは、例えば「ＯＰＥＮ」及び「ＣＬＯＳＥ」の文字と略三角形状をなす図形により構成されていて、庫内ノブ３２は、指標部３５ａが「ＯＰＥＮ」を指し示す位置（ロックレバー１０を開位置に移動させた位置、図１（ｂ）参照）と、指標部３５ａが「ＣＬＯＳＥ」を指し示す位置（ロックレバー１０を閉位置に移動させた位置、図１１（ｂ）参照）との間で回動する。
【００２３】
尚、ロックレバー１０における２つの節度用孔部２９ａ，２９ｂは、第１遊び角θ１に対応して離間している。従って、ロックレバー１０に対する庫内ノブ３２の相対的な位置は、庫外ノブ２０の回動操作に伴い受動的に回動したか否かで異なり、庫内ノブ３２は、ロックレバー１０に対して節度用孔部２９ａ或は２９ｂにボール３６ｃが嵌合する位置（図１２、図１４参照）で保持されると共に、その嵌合の際に節度感が付与される。
【００２４】
図６に示すように、上記ロックレバー１０、庫外ノブ２０及び庫内ノブ３２の貫通孔１０ｃ，２０ａ，３２ａには、段付き円柱状の導光部材３８が収容されている。ロックレバー１０及び庫内ノブ３２の貫通孔１０ｃ，３２ａは、庫外ノブ２０の貫通孔２０ａに比し径小に設定されていると共に、貫通孔２０ａの前端部及び貫通孔３２ａの後端部は若干、狭まるように形成されている。これにより、導光部材３８は、その段部３８ａ部分のみならず、前端部及び後端部において、軸方向の移動が不能に係止されている。導光部材３８は、透明樹脂材料（例えばＰＣ）からなり、庫内に外光を導光するようになっている。
【００２５】
図４に示すように、前記シリンダ錠取付部７は、本体ケース３裏面の下半部において、略円形に形成された位置決め凹部４０ａと、この凹部４０ａの下方に設けられた左右一対のボス部４１とからなる。また、本体ケース３には、位置決め凹部４０ａの中心部に位置して円形のシリンダ錠用開口部４０が形成されると共に、当該開口部４０の周縁部の下側に位置して略矩形状の窓部（以下、庫外本施錠表示用窓部４２と称す）が形成されている。
シリンダ錠取付部７には、シリンダ錠４３が配置されている。シリンダ錠４３は、軸方向に延びるキー挿入穴４４ａ（図６参照）を有するキーロータ４４と、このキーロータ４４を回動可能に収容するロータケース４５とを備えている。
【００２６】
ロータケース４５は、前端部が位置決め凹部４０ａに嵌合する略筒状のロータケース本体４６を備えている。このロータケース本体４６の内周部には、軸方向に延びるタンブラ係合溝４６ａ（図２、図６参照）が、例えば上下２箇所に（つまり１８０度間隔で）形成されている。ロータケース本体４６の下側には、「ハ」字状をなす一対のアーム部４７が突設されると共に、この一対のアーム部４７の先端部間を接続する円弧部４８が設けられている。ロータケース４５は、円弧部４８の両端部の取付孔部４８ａに挿通した螺子４９（図８にのみ図示）を、シリンダ錠取付部７のボス部４１に夫々螺挿させることにより本体ケース３に取付けられている。また、ロータケース４５の円弧部４８における左右方向の中間部には、後述するガイドプレート５１を揺動可能に支持するための筒状の支持部４８ｂが後方に突出するように設けられている。
【００２７】
図２に示すように、キーロータ４４は、本体ケース３のシリンダ錠用開口部４０に臨むフランジ４４ｂと、略円柱状をなすロータ本体４４ｃを一体に備えている。フランジ４４ｂには、前端部にシャッタ５０ａを配した状態で、前側からキャップ５０が装着されている。キャップ５０には、キー挿入穴４４ａに連通するキー挿入口５０ｂが形成されている。シャッタ５０ａは、図示しないばねによりキー挿入口５０ｂを閉塞する方向へ付勢されると共にキー挿入口５０ｂへの正規のキーＫ（図６参照）の挿入を許容するように構成されており、シリンダ錠４３内に雨水や埃などが浸入しないようになっている。
【００２８】
図６に示すように、ロータ本体４４ｃには、径方向に貫通するタンブラ配置溝４４ｄが、ロータ本体４４ｃの軸方向に列をなすように複数個形成されると共に、各タンブラ配置溝４４ｄに板状のタンブラ５２が移動可能に挿入されている。各タンブラ５２は、図示しないばねにより径方向の外側へ付勢されており、キー挿入穴４４ａに何も挿入されていない状態で、タンブラ配置溝４４ｄからロータケース４５のタンブラ係合溝４６ａ内に突出して、キーロータ４４を回動しないように係止する（図６参照）。このように、タンブラ配置溝４４ｄとタンブラ係合溝４６ａが連なるキーロータ４４の回動位置を中立位置として、キーロータ４４は、キー挿入穴４４ａに挿入されたキーＫにより、中立位置から右側へ例えば略４５度回動した本施錠位置（図９（ｂ）参照）と、左側へ例えば略４５度回動した解錠位置（図９（ｄ）参照）との間で回動する。
【００２９】
ロータ本体４４ｃ及びロータケース本体４６の夫々の後部には、逆「ハ」の字状のばね掛部４４ｅ，４６ｂ（図８参照）が連なるように形成されており、ロータケース本体４６の外周部に、ねじりコイルばね５３（付勢部材に相当する）が配置されている。ねじりコイルばね５３は、その両端がばね掛部４４ｅ，４６ｂに沿うように係止され、キーロータ４４を前記本施錠位置と解錠位置との間の中立位置（図９（ａ）、（ｃ）、図８参照）に付勢する。また、図８に示すように、ロータ本体４４ｃの後端部には、筒部５４ａとその周縁部の「Ｃ」の字状の段部５４ｂとからなる結合部５４が一体に設けられている。
【００３０】
前記本体ケース３の裏側には、庫外本施錠表示用窓部４２を覆う板状の透光性部材４２ａ（図４参照）が配置されている。透光性部材４２ａは、透明樹脂材料（例えばＰＣ）からなり、庫外本施錠表示用窓部４２から錠前装置１内（庫内）へ雨水等が浸入しないよう本体ケース３に対し水密に取付けられている。この本体ケース３の裏側と透光性部材４２ａには、ロータケース４５の円弧部４８に沿う円弧状の案内部５６が形成されている。この案内部５６には、扇状の庫外本施錠用表示部５７が周方向へ往復動可能にガイドされている。図３に示すように、庫外本施錠用表示部５７は、例えば、互いに異なる２つの色（赤色Ｒと青色Ｂ）の表示部分を有し、周方向に区画された一部が赤色Ｒで、その他の部分が青色Ｂをなす。庫外本施錠用表示部５７の裏面側（図８参照）には、周方向の中間部に位置して段付き状のピン５８が設けられている。このピン５８の段部５８ａ部分に、後述するストッパプレート５９が嵌合することにより、庫外本施錠用表示部５７が、ピン５８を介してストッパプレート５９と共に周方向へ揺動するようになっている。尚、ロータケース４５のアーム部４７には、庫外本施錠用表示部５７を後方から支持する保持部４７ａ（図２、図３参照）が一体形成されている。
【００３１】
ロータ本体４４ｃの後端部には、図１３に示すような板状のストッパプレート５９が配置されている。ストッパプレート５９は、ロックレバー１０の基端部１０ｂと庫外本施錠用表示部５７との間に位置する長尺形状をなし、ストッパプレート５９のやや下寄りの中央部位には、ロータ本体４４ｃの結合部５４を挿通させる結合孔６０が形成されている。結合孔６０には、結合部５４の段部５４ｂと周方向に係合可能な凸部６０ａが内周側へ突設されていて、ロータ本体４４ｃの結合部５４が挿通されることにより、ストッパプレート５９とキーロータ４４が、回動方向のギャップを有して結合するようになっている。このストッパプレート５９は、本体ケース３裏面の左右両側部に後方へ延びるように形成された延出片部６１ａ，６１ｂ（図４参照）に当接することで、その回動範囲が規制されるようになっている。
【００３２】
即ち、キーロータ４４は、その回動の際に後端部の段部５４ｂがストッパプレート５９の結合孔６０内で凸部６０ａと係合することによりストッパプレート５９を揺動させる。この場合、ストッパプレート５９が図４中、左側の延出片部６１ａに規制される第１位置（図９（ｂ）参照）と、図４中、右側の延出片部６１ｂに規制される第２位置（図９（ｄ）参照）との間で揺動する。また、これら延出片部６１ａ，６１ｂによってストッパプレート５９の揺動範囲が規制されることで、前述したキーロータ４４の回動範囲が本施錠位置と解錠位置との間（例えば略９０度）に規制される。また、ストッパプレート５９とキーロータ４４との間における回動方向のギャップ（第２遊び角θ２（図９（ｂ）、（ｄ）参照））は、ストッパプレート５９が第１位置又は第２位置に維持された状態で、キーロータ４４の中立位置への復帰を許容する角度（例えば略４５度）に設定されている。
【００３３】
ストッパプレート５９の一方（上方）の端部には、ロックレバー１０の閉位置で前記ストッパピン３０に係合可能な第１切欠溝６２ａ（第１係止部）と、ロックレバー１０の開位置でストッパピン３０に係合可能な第２切欠溝６２ｂ（第２係止部）とが設けられている。第１切欠溝６２ａは、ストッパプレート５９の上端の右半部（図９中、左半部）を切欠くように形成されており、ストッパプレート５９の第１位置において、閉位置にあるロックレバー１０をストッパピン３０にて係止する（図９（ｃ）参照）。第２切欠溝６２ｂは、ストッパプレート５９において、第１切欠溝６２ａの直ぐ下側で且つ右寄りの部位を切欠くように形成されており、ストッパプレート５９の第２位置側において、開位置にあるロックレバー１０のストッパピン３０により係止される（図１３参照）。
【００３４】
ストッパプレート５９の他方の端部には小孔６３ａが形成されると共に、この小孔６３ａにピン５８が挿通されている。これにより、ストッパプレート５９は、ピン５８を介して庫外本施錠用表示部５７を周方向へ移動させるようになっている。また、ストッパプレート５９における第１切欠溝６２ａと結合孔６０との間の中間の部位には小孔６３ｂが形成されると共に、この小孔６３ｂに連結ピン６４が装着されている。
【００３５】
ここで、図１３は、ストッパプレート５９とロックレバー１０の相互関係を説明するための破断背面図である。同図に示すように、第２位置側のストッパプレート５９は、開位置にあるロックレバー１０のストッパピン３０により第２切欠溝６２ｂで係止される。この状態において、キーロータ４４の回動中心ＣＫとストッパピン３０の中心ＣＳとを結ぶ一方の線分Ｌ１と、ストッパピン３０の中心ＣＳと庫内ノブ３２の回動中心ＣＮとを結ぶ他方の線分Ｌ２とが鈍角α２をなすように設定されている。一方、図１５（ａ）に示すように、第１位置のストッパプレート５９は、閉位置にあるロックレバー１０のストッパピン３０を、第１切欠溝６２ａで係止する。この状態においても、一方の線分Ｌ１と他方の線分Ｌ２とが、鈍角α１をなすように設定されている。
【００３６】
ストッパプレート５９の後方には、当該プレート５９に比し長尺なガイドプレート５１が配置されている。ガイドプレート５１は、中間部に長円状をなす環状部５１ａを有し、その環状部５１ａに、キーロータ４４の筒部５４ａが挿通されている。ガイドプレート５１の一方の端部には、庫内ノブ３２のガイド壁３４ｂに係合可能なガイドピン６５（ガイド部）が、後方へ突出するように設けられている。ガイドプレート５１の他方の端部は、前記支持部４８ｂに設けられた軸部材４８ｃによって、揺動可能に支持されている。また、ガイドプレート５１におけるガイドピン６５と環状部５１ａとの間の中間部には長孔６６が形成されており、この長孔６６に連結ピン６４が挿通されている。こうして、ガイドプレート５１は、軸部材４８ｃに支持された下端部を揺動支点として、連結ピン６４により、ストッパプレート５９と共に揺動する。
【００３７】
ここで、図１５（ａ）に示すように、連結ピン６４を介してストッパプレート５９をガイドプレート５１ごと第１位置へ揺動させた場合、ストッパプレート５９の第１切欠溝６２ａがロックレバー１０のストッパピン３０を係止し且つガイドプレート５１のガイドピン６５が庫内ノブ３２のガイド壁３４ｂに当接した本施錠状態となるように構成されている。尚、本施錠状態において、ガイドピン６５とガイド壁３４ｂが近接するように構成してもよい。
また、図１５（ｂ）に示すように、前述した第１遊び角θ１は、ロックレバー１０が閉位置に維持された状態で、庫内ノブ３２の回動操作によりガイド壁３４ｂがガイドピン６５を押圧することでガイドプレート５１がストッパプレート５９と共に揺動することに伴い第１切欠溝６２ａがストッパピン３０から外れる（つまり、本施錠状態が解除される）ように設定されている。
【００３８】
図７は錠前装置１の横断面図を示しており、同図に示されるように、連結ピン６４は、ガイドプレート５１とストッパプレート５９との間に掛け渡されると共に後方へ延びており、その連結ピン６４の後部に、庫内ロックノブ６８が設けられている。庫内ロックノブ６８は、連結ピン６４の収容が可能な穴部６８ａを有する把持部６８ｂと、この把持部６８ｂの前端部においてストッパプレート５９（或はガイドプレート５１）の揺動方向へ延びるように形成された左右一対の鍔部６８ｃとを一体に有する。図４に示すように鍔部６８ｃには、その左右両端部に位置して、庫内本施錠用表示部６９が設けられている。庫内本施錠用表示部６９は、例えば、互いに異なる２つの色（赤色Ｒと青色Ｂ）の表示部分を有し、その右側（図４中、左側）が青色Ｂで左側が赤色Ｒをなす。
【００３９】
図５に示すように、カバー４における後壁部４ｂの中間部には、庫内ロックノブ６８の移動方向に沿うように緩やかに湾曲したロックノブ用開口部７０が形成されており、この開口部７０から庫内ロックノブ６８の把持部６８ｂが後方へ突出するように配置されている。また、カバー４の後壁部４ｂの前側には、庫内ロックノブ６８及び前記庫内ノブ３２の夫々の前部を収容する内側カバー７１が配置されている。
【００４０】
この内側カバー７１は、上半部に、庫内ノブ３２の鍔部３３と把持部３５を露出させる円形の切欠部７１ａを有すると共に、その下側に、庫内ロックノブ６８の把持部６８ｂを露出させる湾曲状の切欠部７１ｂを有し、全体として栓抜き状をなしている。上記ロックノブ用開口部７０及び切欠部７１ｂは庫内本施錠表示用窓部７４に相当し、この窓部７４から表示部６９の赤色Ｒと青色Ｂが択一的に出現するように構成されている。また、内側カバー７１において、切欠部７１ａの周縁部には、庫内ノブ３２の径大部３４の外周を回動可能に保持する環状リブ７２が形成されると共に、切欠部７１ｂの周縁部には、庫内ロックノブ６８を往復動可能にガイドする案内凹部７１ｇが形成されている。環状リブ７２の下部には、ガイドピン６５の移動軌跡に沿う湾曲部７２ａが形成されている。尚、内側カバー７１には、環状リブ７２の外側に張り出す３つの螺子用孔部７１ｃ〜７１ｅと１つのボス部７１ｆが設けられている。内側カバー７１は、螺子用孔部７１ｃ〜７１ｅに夫々挿通された螺子（図示せず）が、本体ケース３のボス部７３ａ〜７３ｃ（図４参照）に螺挿されることにより本体ケース３に対して固定される。これに対し、内側カバー７１のボス部７１ｆに螺挿される螺子７６（図１（ｂ）参照）は、ロックレバー１０の回動範囲を跨がないよう、カバー４の螺子用孔部（図示せず）に挿通されることで内側カバー７１がカバー４に対して固定される。
【００４１】
図４、図７に示すように、本体ケース３裏面には、延出片部６１ａの後端部に位置してばね受け部７７ａが設けられている。このばね受け部７７ａには、付勢部材たる板ばね７７が螺子７８により取付け固定されている。図２に示すように、板ばね７７は逆「へ」字状をなしており、連結ピン６４を介してストッパプレート５９をガイドプレート５１ごと第１位置側或は第２位置側へ付勢することで、後述する本施錠の状態或は仮施錠の状態に確実に移行させると共に、庫内ロックノブ６８やキーロータ４４の操作時に節度感を付与する節度付与手段として機能する。
【００４２】
次に、以上のように構成された錠前装置１の作用について、図９〜図１５も参照しながら説明する。ここで、図１２（ａ）（ｂ）、図１４（ａ）（ｂ）、及び図１５（ａ）は夫々、解錠の状態、仮施錠の状態、及び本施錠の状態を説明するための内部構造を一部省略して示す破断背面図である。また、図９は、仮施錠と本施錠との間での移行操作を説明するための要部の背面図で、図１０は、解錠と仮施錠と本施錠との間の状態遷移図を示している。本発明の錠前装置１にあっては、解錠と仮施錠と本施錠との間の相互の状態遷移は、庫外側からの操作（図１０中、実線で示す）と、庫内側からの操作（図１０中、破線で示す）との双方で可能である。
【００４３】
先ず、庫外側からの施錠方法について説明する。解錠の状態では、図１（ａ）、図６に示すように、ロックレバー１０は、庫外仮施錠表示用窓部２２ａから青色Ｂの表示部１６が覗く上向きの開位置にあり、当該開位置にて節度付与手段２４により庫外ノブ２０と共に回動しないように保持されている。この状態では、ロックレバー１０が引戸１３の相手側の部材、この場合図示しない車庫本体に対して係止が外れており、引戸１３を自由に開閉することができる。また、庫内ノブ３２は、直近の解錠が庫内ノブ３２により行われた場合、ロックレバー１０に対して節度用孔部２９ａにボール３６ｃが嵌合する位置（図１２（ａ）参照）で保持され、直近の解錠が庫外ノブ２０により行われた場合、ロックレバー１０に対して節度用孔部２９ｂにボール３６ｃが嵌合する位置（図１２（ｂ）参照）で保持された状態にある。一方、キーロータ４４は中立位置にあり、キー挿入穴４４ａに何も挿入されていないとき、各タンブラ５２がタンブラ配置溝４４ｄからロータケース４５のタンブラ係合溝４６ａ内に突出した状態となっている。そして、ストッパプレート５９及びガイドプレート５１は、板ばね７７により第２位置側へ付勢されており、庫外本施錠表示用窓部４２から青色Ｂの表示部５７が覗く状態となっている（図９（ａ）参照）。従って、この解錠の状態では、キー挿入穴４４ａにキーＫが挿入されても、ストッパプレート５９が第２切欠溝６２ｂにてストッパピン３０により係止されるため、キーロータ４４の解錠位置側への回動操作による本施錠が阻止される（図１３参照）。
【００４４】
この解錠の状態において、使用者が庫外ノブ２０を図１（ａ）中、反時計回り方向（矢印Ｄ１方向）に回動操作すると、ロックレバー１０は、庫外ノブ２０と一体に矢印Ｄ１方向へ回動して、開位置から閉位置まで９０度回動した横向きの状態となる。このとき、ロックレバー１０のフック部１０ａが車庫本体に対して係止すると共に、節度付与手段２４によって庫外ノブ２０ひいてはロックレバー１０が閉位置で保持され、庫外仮施錠表示用窓部２２ａ（図１１（ａ）参照）から赤色Ｒの表示部１６が覗く仮施錠の状態となる。また、ロックレバー１０の回動に伴い、ストッパピン３０がストッパプレート５９の第２切欠溝６２ｂから離間するように移動されることで、ストッパプレート５９の移動ひいてはキーロータ４４の回動操作を許容する。更に、庫外ノブ２０の回動に伴い、庫内ノブ３２は、結合突部２１ｂを介して矢印Ｄ１方向へ受動的に移動されることにより、ロックレバー１０に対して節度用孔部２９ａにボール３６ｃが嵌合する位置（図１４（ｂ）参照）で保持されると共に、庫内ノブ３２の逃し部３４ａ及びガイド壁３４ｂがガイドプレート５１の移動を許容するように位置する。
【００４５】
図１４（ｂ）に示す仮施錠の状態にあっては、引戸１３は、ロックレバー１０によりその閉止状態が拘束されている。尚、この仮施錠の状態において、庫外ノブ２０を、矢印Ｄ２方向に回動操作すると、図１及び図１２（ｂ）に示す解錠の状態に戻る。
続いて、正規のキーＫを用いた庫外側からの本施錠について説明する。この本施錠は、前述のように解錠の状態ではストッパプレート５９とストッパピン３０との係合によって阻止されるため、仮施錠の状態において行われる。
【００４６】
キー挿入穴４４ａにキーＫが挿入されると、そのキーＫにより各タンブラ５２が前記ばねの付勢力に抗してタンブラ配置溝４４ｄ内に収容されるように移動される。そして、キーＫを図１（ａ）中、矢印Ｄ３方向に回動操作して、キーロータ４４を中立位置から本施錠位置へ回動させる。このキーロータ４４の回動により、ストッパプレート５９が、連結ピン６４を介してガイドプレート５１と共に第２位置から第１位置側へ揺動する。図１５（ｂ）に示すように、この揺動の際、ガイドプレート５１のガイドピン６５が庫内ノブ３２のガイド壁３４ｂに当接しながら移動することで、庫内ノブ３２を第１遊び角θ１のぶん矢印Ｄ１方向へ回動させる。そして、ストッパプレート５９の第１位置へ揺動に伴い、ピン５８を介して表示部５７が周方向へ移動して庫外本施錠表示用窓部４２から赤色Ｒが覗く（図９（ｂ）参照）と共に、ストッパプレート５９の第１切欠溝６２ａがロックレバー１０のストッパピン３０を係止した本施錠の状態となる（図１５（ａ）参照）。また、ストッパプレート５９及びガイドプレート５１は第１位置側へ揺動する際、板ばね７７によって、節度感が付与されると共に当該第１位置にて保持される。この状態でキーＫの回動操作力を解除すると、キーロータ４４は、ストッパプレート５９に対する第２遊び角θ２を有し且つねじりコイルばね５３により図９（ｂ）中、矢印Ｄ４方向へ付勢されているため、ストッパプレート５９の第１位置（及び庫外本施錠表示用窓部４２からの赤色Ｒの表示）が維持された状態で、中立位置に復帰する（図９（ｃ）参照）。
【００４７】
図１１は、上記の本施錠の後、キー挿入穴４４ａからキーＫを引き抜いた状態を示しており、キーロータ４４は、各タンブラ５２（図３参照）がロータケース４５のタンブラ係合溝４６ａ内に突出しており、解錠位置への回動が規制された状態となっている。また、引戸１３はロックレバー１０によりその閉止状態が拘束されていると共に、庫外ノブ２０は、ストッパプレート５９によってロックレバー１０の回動が阻止されることで、回動操作が不能とされている（図１５（ａ）参照）。
【００４８】
この本施錠の状態を庫外から解除する場合、キーＫを、キー挿入穴４４ａに挿入して各タンブラ５２をタンブラ配置溝４４ｄ内に収容するように移動させる。そして、キーＫを図１（ａ）中、矢印Ｄ４方向に回動操作して、キーロータ４４を中立位置から解錠位置へ回動させる。このキーロータ４４の回動により、ストッパプレート５９が、連結ピン６４を介してガイドプレート５１と共に第１位置から第２位置側へ揺動することに伴い、ストッパプレート５９の第１切欠溝６２ａがロックレバー１０のストッパピン３０との係合を解除し且つガイドプレート５１のガイドピン６５が庫内ノブ３２のガイド壁３４ｂから離間する（図１４（ａ）参照）。これにより、庫外ノブ２０の回動操作が許容され、庫外仮施錠表示用窓部２２ａから赤色の表示部１６が覗くと共に庫外本施錠表示用窓部４２から青色Ｂの表示部５７が覗く前記の仮施錠の状態になる。この状態でキーＫの回動操作力を解除すると、キーロータ４４は、ねじりコイルばね５３により図９（ｄ）中、矢印Ｄ３方向へ付勢されているため、ストッパプレート５９の第２位置及び庫外本施錠表示用窓部４２からの青色Ｂの表示が維持された状態で、中立位置に復帰する（図９（ａ）参照）。従って、使用者は、この仮施錠の状態から庫外ノブ２０の回動操作を行うことにより、解錠の状態へ移行させて（つまり車庫本体に対するロックレバー１０の係止を外して）、引戸１３を自由に開閉することができる。
【００４９】
次に、庫内側からの施錠方法とその解除方法について説明する。
この庫内側からの施錠は、錠前装置１を、例えば家屋に付設された車庫における、シャッタとは別の引戸に適用した場合等に特に有用とされる。この場合、前記の解錠の状態において、使用者が庫内ノブ３２を図１（ｂ）中、矢印Ｄ１方向に回動操作すると、ロックレバー１０は、開位置から閉位置まで矢印Ｄ１方向へ９０度回動した横向きの状態となる。このとき、庫外ノブ２０の回動操作時と同様、ロックレバー１０が車庫本体に対して係止した仮施錠の状態となり、ストッパプレート５９及びガイドプレート５１の揺動を許容する。もっとも、庫内ノブ３２は、使用者により直接操作されることから、ロックレバー１０に対して節度用孔部２９ｂにボール３６ｃが嵌合する位置（図１４（ａ）参照）で保持される。
【００５０】
図１４（ａ）に示す仮施錠の状態にあっては、引戸１３は、ロックレバー１０によりその閉止状態が拘束されている。尚、この仮施錠の状態において、庫内ノブ３２を、矢印Ｄ２方向に回動操作すると図１、図１２（ａ）に示す解錠の状態に戻る。
【００５１】
続いて、庫内ロックノブ６８による庫内側からの本施錠について説明する。この本施錠についても、仮施錠の状態を経て行われる。即ち、仮施錠状態において、庫内ロックノブ６８を矢印Ｄ５方向へシフト操作すると、連結ピン６４を介して、ストッパプレート５９がガイドプレート５１ごと第２位置から第１位置側へ揺動する。この揺動によって、ストッパプレート５９の第１切欠溝６２ａがロックレバー１０のストッパピン３０を係止し且つガイドプレート５１のガイドピン６５が庫内ノブ３２のガイド壁３４ｂに当接する本施錠の状態となり（図１５（ａ）参照）、庫内本施錠表示用窓部７４から赤色Ｒの表示部６９が覗くようになる（図１１（ｂ）参照）。また、庫内ロックノブ６８は、このシフト操作の際、板ばね７７によって連結ピン６４を介して節度感が付与されると共に図１１（ｂ）中、左側（第１位置側）に保持される。他方、このストッパプレート５９の揺動において、キーロータ４４は、ストッパプレート５９に対し第２遊び角θ２を有することから中立位置に維持され、庫外本施錠表示用窓部４２から赤色Ｒが覗く状態となる（図９（ｃ）参照）。
【００５２】
こうして、図１１に示すように、キーＫ無しで、庫内ロックノブ６８の庫内側からの操作により前述した本施錠の状態に移行することができ、この本施錠の状態では、庫外からの庫外ノブ２０の回動操作が不能となる（図１５（ａ）参照）。
【００５３】
この本施錠の状態において、庫内ロックノブ６８を矢印Ｄ６方向へシフト操作すると前記の仮施錠の状態に戻る。即ち、庫内ロックノブ６８を矢印Ｄ６方向へシフト操作すると、連結ピン６４を介して、ストッパプレート５９がガイドプレート５１ごと第１位置から第２位置側へ揺動する。この揺動によって、ストッパプレート５９の第１切欠溝６２ａがロックレバー１０のストッパピン３０との係合を解除し且つガイドプレート５１のガイドピン６５が庫内ノブ３２のガイド壁３４ｂから離間し（図１４（ａ）参照）、庫内本施錠表示用窓部７４から青色Ｂの表示部６９が覗く仮施錠の状態になる。従って、使用者は、この仮施錠の状態から庫内ノブ３２の回動操作を行うことにより、解錠の状態へ移行させて、引戸１３を自由に開閉することができる。
【００５４】
図１０に示すように、本発明の錠前装置１では、庫内ノブ３２の操作により、本施錠の状態から解錠の状態へ直接移行させることができる。詳細には、図１５（ａ）に示す本施錠の状態において、庫内ノブ３２を矢印Ｄ２方向へ回動操作すると、庫内ノブ３２のガイド壁３４ｂが、ガイドプレート５１のガイドピン６５を押圧しながら回動する。このとき、図１５（ｂ）に示すように、ロックレバー１０の閉位置が維持された状態で、庫内ノブ３２は、第１遊び角θ１のぶん回動することにより、ガイド壁３４ｂがガイドピン６５を押圧してストッパプレート５９の第１切欠溝６２ａをストッパピン３０から外す。そして、庫内ノブ３２の回動に伴い、ガイド壁３４ｂがガイドピン６５を押圧して、ガイドプレート５１及びストッパプレート５９を第２位置側へ揺動させると共に、結合突部２１ｂを介してロックレバー１０を閉位置から開位置に回動させる（図１２（ａ）参照）。こうして、ロックレバー１０が開位置まで回動された上向きの状態で、節度付与手段２４により庫外ノブ２０と共に回動しないように保持されるため、引戸１３を庫内側から開けることができる。尚、庫内ノブ３２の操作のみによって直接、本施錠の状態から解錠の状態に移行した場合も、庫内ロックノブ６８と庫内ノブ３２とにより仮施錠の状態を経て解錠の状態に移行した場合も、同様に図１、図１２（ａ）に示す状態となる。
【００５５】
上記構成によれば、庫内ノブ３２と庫外ノブ３２（ロックレバー１０）との間に第１遊び角θ１を設けたので、本施錠状態において、外側からの解錠操作をストッパプレート５９により阻止しながらも、庫内側から庫内ノブ３２を第１遊び角θ１の分、回動操作するだけでガイドプレートをストッパプレート５９ごと第２位置側へ（本施錠を解除するように）揺動させることができる。また、この庫内ノブ３２の回動操作の際、キーロータ４４とストッパプレート５９との間の第２遊び角θ２によってキーロータ４４の中立位置が維持されるため、キーＫを用いずに本施錠状態を解除することができると共に、庫内ノブ３２の回動に伴いロックレバー１０を閉位置から開位置に回動させることができる。このように、防犯面での安全性を確保しつつ、庫内ノブ３２によって引戸１３の閉止状態を庫内側から容易に解除することができ、使い勝手のよいものとすることができる。従って、錠前装置１を、例えば人が出入り可能な内部空間を有する物置等の引戸に適用した場合、前述した人を閉じ込めてしまう問題をも解消することができる。
【００５６】
この錠前装置１は、錠ケース２の後面側に移動操作可能に配置された庫内ロックノブ６８を備え、仮施錠状態において、キーロータ４４の本施錠位置への回動操作或は庫内ロックノブ６８の連結ピン６４を介した移動操作により、ストッパプレート５９をガイドプレート５１ごと第２位置から第１位置へ揺動させることで本施錠状態となるように構成した。この構成によれば、錠前装置１を、例えば家屋に付設された車庫における、シャッタとは別の引戸に適用した場合に、以下の効果を奏する。
【００５７】
即ち、本発明とは異なり、庫内側からの操作が不能な従来の錠前装置にあっては、例えば、引戸から庫内に入りシャッタから車を出して外出する際、再び引戸へ移動して庫外から施錠した後、庫外を回って車の方へ戻ることになるため、面倒である。また、従来の錠前装置では、例えば帰宅に際しても、車庫内に駐車した後、引戸を使用して庫外に出たくても庫内側から施錠を解除できないため、やはりシャッタ側に移動し庫外を回って帰宅することになる。これに対し、本発明の錠前装置１によれば、外出や帰宅の際、引戸１３における本施錠を庫内ロックノブ６８により、本施錠の解除を庫内ノブ３２により、夫々庫内側からキーＫを用いることなく行うことができるので、実用上において有益であり、車庫の利便性をも高めることができる。
【００５８】
また、前述した特許文献１に記載の錠前装置では、使用者が仮施錠を失念する等して、摘み操作部材が解除位置側にある状態（つまりロックレバーによる引戸の閉止状態が解除された状態）で、シリンダ錠の施錠を行う誤操作が起き易い。これに対し、本発明の錠前装置１によれば、ストッパプレート５９は、第２位置側において、開位置に在るロックレバー１０のストッパピン３０により係止される第２切欠溝６２ｂを有する。そして、これらストッパピン３０と第２切欠溝６２ｂとの係合により、キーロータ４４の本施錠位置側への回動操作を阻止するように構成されていることから、仮施錠の前に本施錠を行う誤操作を防止することができる。また、キーロータ４４は、ストッパプレート５９に対して第２遊び角θ２を有し且つねじりコイルばね５３によって中立位置に付勢されていることから、キーロータ４４が本施錠位置にある状態で、庫内ノブ３２によりロックレバー１０が開位置に移動されることはない。換言すれば、本施錠位置のキーロータ４４が本施錠位置に在るにもかかわらずロックレバー１０が開位置に移動されることはないので、使用者における施錠に関する誤認識ないし誤操作を可及的に防止することができ、総じて防犯面での安全性を高めることができる。
【００５９】
ストッパプレート５９の第１位置で第１切欠溝６２ａがストッパピン３０を係止した状態において、回動中心軸線Ｌ０の方向から見た、前記の一方の線分Ｌ１と他方の線分Ｌ２とが鈍角α１をなすように設定することにより、ロックレバー１０の開位置への回動を確実に阻止した。これによれば、本施錠の状態におけるロックレバー１０の抉じ開けを防止することができ、防犯面での安全性をより向上させることができる。また、ストッパプレート５９の第２位置で第２切欠溝６２ｂがストッパピン３０を係止した状態において、一方の線分Ｌ１と他方の線分Ｌ２とが鈍角α２をなすように設定することにより、キーロータ４４の本施錠位置側への回動操作を確実に阻止することで、仮施錠の前に本施錠を行う誤操作を確実に防止することができる。
【００６０】
錠ケース２は、ロックレバー１０、シリンダ錠４３、ねじりコイルばね５３、ストッパプレート５９、ガイドプレート５１、庫外ノブ２０、庫内ノブ３２及び庫内ロックノブ６８を収容し、錠ケース２の側壁部４ｂに、ロックレバー１０の先端部を突出させる切欠部１１を形成し、庫外ノブ２０に、錠ケース２の前面から前方へ突出する把持部２３を設けると共に、庫内ノブ３２及び庫内ロックノブ６８に、錠ケース２の後面から後方へ突出する把持部３５及び６８ａを夫々設けた。従って、錠ケース２によって、内部の可動部分に使用者の手が触れないように保護することができ、夫々の操作部材２０，３２，６８の把持部２３，３５，６８ａを利用してその回動操作を安全且つ容易に行うなうことができる。また、錠前装置１は、これを構成する各部材１０，２０，３２，４３，５１，５３，５９，６８が何れも錠ケース２に設けられることでユニット化されているので、汎用性に優れると共に、引戸１３等に対する組み付け作業性を向上させることができる。
【００６１】
庫内ロックノブ６８の鍔部６８ｃに赤色Ｒと青色Ｂの庫内本施錠用表示部６９を設け、仮施錠時と本施錠時に、その赤色Ｒと青色Ｂが庫内本施錠表示用窓部７４から択一的に出現するように構成した。このため、庫内において、仮施錠の状態と本施錠の状態を容易に認識することができる。
庫外ノブ２０の回動中心軸線Ｌ０に沿って、庫外ノブ２０、ロックレバー１０及び庫内ノブ３２を貫通する導光部材３８を設けた。この導光部材３８によって、庫内に外光を導光し、庫内ノブ３２の中央部から庫内側を照らすことができるので、庫内ノブ３２の視認性を向上させることができる。
【００６２】
赤色Ｒと青色Ｂの庫外仮施錠用表示部１６を、庫外ノブ２０の回動方向に連なるように配置し、ロックレバー１０の開位置及び閉位置にて、その赤色Ｒと青色Ｂが庫外仮施錠表示用窓部２２から択一的に出現するように構成した。このため、庫外において、解錠の状態と仮施錠の状態を容易に認識することができる。
また、赤色Ｒと青色Ｂの庫外本施錠用表示部５７を、ストッパプレート５９或はガイドプレート５１の揺動方向に連なるように配置し、仮施錠時と本施錠時に、その赤色Ｒと青色Ｂが庫外本施錠表示用窓部４２から択一的に出現するように構成した。このため、庫外において仮施錠の状態と本施錠の状態を容易に認識することができる。
【００６３】
本発明は、上記した実施形態にのみ限定されるものではなく、次のように変形または拡張できる。
本発明の錠前装置１は車庫や物置に限られず、人が出入り可能な内部空間を有する構造体全般に適用できるものである。また、引戸１３等に対する錠前装置１の取付態様は、上記実施形態に限定されるものではなく、例えば、錠前装置１を上下逆にして引戸１３に取付けてもよい。
【００６４】
各節度付与手段２４，３６や板ばね７７は、前述のように対応する部材の位置保持機能をも備えたものであるが、夫々必要的に配設されるものではなく、錠前装置１の適用形態に応じて例えば各節度付与手段２４のみ省略するなど適宜変更してもよい。
庫外ノブ２０とロックレバー１０と庫内ノブ３２とを、庫外ノブ２０の結合突部２１ｂにより相互に結合したが、この結合手段は結合突部２１ｂに限定されるものではない。即ち、この結合手段は、庫外ノブ２０とロックレバー１０が一体に回動し、且つ庫外ノブ２０或はロックレバー１０に対し庫内ノブ３２を第１遊び角θ１を有して結合するように構成されていればよい。
【００６５】
第１切欠溝６２ａ及び第２切欠溝６２ｂを含むストッパプレート５９の形状や位置、並びにロックレバー１０におけるストッパピン３０の位置は、上記構成に限定されるものではなく、上記のように一方の線分Ｌ１と他方の線分Ｌ２とが鈍角α１，α２をなすように設定されていればよい。
上記した表示部１６，５７，６９は、その表示につき赤色Ｒと青色Ｂ等、２色のものに限定するものではなく、「開」「閉」の文字を表示部材に印刷したものなど相互に異なる２つの表示を有する構成であればよい。また、庫内ノブ３２と、その近傍部に設けた指標部４ｃ，３５ａに代えて、表示部１６，５７，６９と同様に赤色Ｒと青色Ｂ等の表示部とこれに対応する窓部とを設けるようにしてもよい。
【符号の説明】
【００６６】
図面中、１は錠前装置、２は錠ケース、７はシリンダ錠取付部、１０はロックレバー、１１は切欠部、１６は庫外仮施錠用表示部、２０は庫外ノブ、２２ａは窓部、２２は鍔部、２３は把持部、３０は被係止部、３２は庫内ノブ、３４ｂはガイド壁、３５は把持部、３８は導光部材、４２は窓部、４３はシリンダ錠、４４はキーロータ、５１はガイドプレート、５３は付勢部材、５７は庫外本施錠用表示部、５９はストッパプレート、６２ａは第１係止部、６２ｂは第２係止部、６４は連結ピン、６５はガイドピン、６８ｂは把持部、６８ｃは鍔部、６８は庫内ロックノブ、６９は庫内本施錠用表示部、７４は窓部、Ｋはキー、θ１は第１遊び角、θ２は第２遊び角、Ｌ０は回動中心軸線、Ｌ１は一方の線分、Ｌ２は他方の線分を示す。
【図１】
2010209577.tif 000003
【図２】
2010209577.tif 000004
【図３】
2010209577.tif 000005
【図４】
2010209577.tif 000006
【図５】
2010209577.tif 000007
【図６】
2010209577.tif 000008
【図７】
2010209577.tif 000009
【図８】
2010209577.tif 000010
【図９】
2010209577.tif 000011
【図１０】
2010209577.tif 000012
【図１１】
2010209577.tif 000013
【図１２】
2010209577.tif 000014
【図１３】
2010209577.tif 000015
【図１４】
2010209577.tif 000016
【図１５】
2010209577.tif 000017